(57)【要約】【課題】古いドアーを装着していた既存のドア枠に合うようにドア本体の寸法調整が行なえ、旧ラッチ受け跡を隠蔽して、ラッチ受け座が取付けられるリフォーム用ドア構造を提供する。【解決手段】古いドアーを装着していた既存のドア枠１０と、新しいドア本体１とからなるドア構造であって、該ドア本体１を蝶番取付け側部２において縦方向に任意の厚みで切断することにより、横方向の寸法調整が可能とされた上記ドア本体１と、該既存のドア枠１０に形成されていた旧ラッチ受け跡を隠蔽するとともに、上記ドア本体１のラッチＲを受けるラッチ受け座９が取付けられた既存のドア枠１０とからなる。好ましくは、繋合手段７を切断して寸法調整を行なった後の蝶番取付け側部２の側端部を、エッジカバー材８を取付けて仕上げ加工を行なう。【選択図】図１
2004068466.tif 000002
【特許請求の範囲】
【請求項１】
古いドアーを装着していた既存のドア枠と、新しいドア本体とからなるドア構造であって、該ドア本体を蝶番取付け側部において縦方向に任意の厚みで切断することにより、横方向の寸法調整が可能とされた上記ドア本体と、該既存のドア枠に形成されていた旧ラッチ受け跡を隠蔽するとともに、上記ドア本体のラッチを受けるラッチ受け座が取付けられた既存のドア枠とからなる、リフォーム用ドア構造。
【請求項２】
上記ドア本体の蝶番取付け側部を、複数の長尺木質材を切断自在とされた繋合手段によって縦方向に並列に繋合して構成し、上記繋合手段を切断して所要数の長尺木質材を除いて横方向の寸法調整が可能とされた、請求項１に記載のリフォーム用ドア構造。
【請求項３】
上記繋合手段を切断して寸法調整を行なった後の蝶番取付け側部の側端部を、エッジカバー材を取付けて仕上げ加工を行なう、請求項１に記載のリフォーム用ドア構造。
【請求項４】
上記ドア本体の上部を横方向に任意の厚みで切断することにより、上記ドア本体の縦方向の寸法調整が可能とされた、請求項１に記載のリフォーム用ドア構造。
【請求項５】
上記繋合手段がアルミタックである、請求項１に記載のリフォーム用ドア構造。
【請求項６】
上記ラッチ受け座がラッチ受けを備えるとともに、プレート部の一端部を長くして、旧ラッチ受け跡を隠蔽するようにされた、請求項１に記載のリフォーム用ドア構造。
【発明の詳細な説明】
【０００１】
【発明の属する技術分野】
本発明は、古いドアーを装着していた既存のドア枠と、新しいドア本体とからなるドア構造に関する。さらに詳しくは、既存のドア枠に取付けることが可能な、リフォーム用ドア構造に関する。
【０００２】
【従来の技術】
近年、住宅のリフォームが盛んに行なわれるようになり、一つの市場となりつつある。住宅のリフォームの中でも、建具類、例えば、ドアをリフォームする場合には、既存のドア枠をそのまま使用してドア本体のみを取り替えれば経済的であり、また、工事も比較的簡単であるため、現場でドアの寸法調整ができるフレキシビリティのあるドア構造が要求される。一方、従来、引戸については、引戸本体に取外し自在とされた木口材を嵌入し、この木口材を切削して、引戸の横方向の寸法調整を容易に行なうことができる構造が提案されている。（例えば、特許文献１参照）
【０００３】
【特許文献１】
実開平５−１０６９０号公報（第６−７頁、第１図）
【０００４】
【発明が解決しようとする課題】
しかしながら、上記した従来技術では、木口材を切削するためにかなりの時間と手間を要するため、ドアのリフォームに適用することは困難であり、既存のドア枠を利用して、工事現場で、ドア本体の寸法調整が容易にできるリフォーム用のドア構造が求められている。そこで、本発明は、上記問題を解決して、リフォーム工事の現場で、既存のドア枠に適合するようにドアの寸法調整を容易に行なうことができるとともに、既存のドア枠のラッチ受け跡を隠蔽して、新しいラッチ受け座を設けることが可能なリフォーム用ドア構造を提供することをその課題とする。
【０００５】
【課題を解決するための手段】
上記課題を解決するために、本発明においては、つぎのような技術的手段を講じている。すなわち、本発明によれば、古いドアーを装着していた既存のドア枠と、新しいドア本体とからなるドア構造であって、該ドア本体を蝶番取付け側部において縦方向に任意の厚みで切断することにより、横方向の寸法調整が可能とされた上記ドア本体と、該既存のドア枠に形成されていた旧ラッチ受け跡を隠蔽するとともに、上記ドア本体のラッチを受けるラッチ受け座が取付けられた既存のドア枠とからなる、リフォーム用ドア構造が提供される。このようにすることにより、工事現場において、既存のドア枠に適合するようにドア本体の寸法調整を容易に、作業性よく行なうことができる。
【０００６】
上記ドア本体の蝶番取付け側部は、複数の長尺木質材を切断自在とされた繋合手段によって縦方向に並列に繋合して構成し、上記繋合手段を切断して所要数の長尺木質材を除いて横方向の寸法調整が可能とされる。このようにすることにより、繋合手段をカッターで切断し、余分の長尺木質材を除くことにより、簡単にドア本体の横方向の寸法調整を行なうことができる。
【０００７】
上記繋合手段を切断して寸法調整を行なった後の蝶番取付け側部の側端部を、エッジカバー材を取付けて仕上げ加工を行なうことが好ましい。１本の通しエッジカバー材は、１本を通して用いてもよいし、蝶番のみを覆う部分エッジカバー材と、蝶番以外の部分を覆う部分エッジカバー材に分割して用いてもよい。このようにすることにより、表面材とデザイン的に違和感のないエッジカバー材を用いて仕上げ加工を行なうことにより、すっきりと一体感のあるドア本体とすることができる。
【０００８】
上記ドア本体１の上部３を横方向に任意の厚みで切断することにより、上記ドア本体の縦方向の寸法調整が可能とされる。このようにすることにより、既存のドア枠の高さに合わせて、リフォーム工事の現場で、上記ドア本体の縦方向の寸法調整を簡単に行なうことができる。
【０００９】
上記繋合手段をアルミタックとすることが好ましい。アルミタックは、カッターで切断することが可能であるため、表面材を切断すると同時に、アルミタックを切断し、余分の長尺木質材を除いて、ドア本体の横方向の寸法を、簡単に調整することができる。
【００１０】
上記ラッチ受け座がラッチ受けを備えるとともに、プレート部の一端部を長くして、旧ラッチ受け跡を隠蔽するようにされる。このようにすることにより、既存のドア枠に残されたラッチ受け跡は、必要に応じて埋め木処理を施した後に、プレート部の長い一端部で外観的に全く問題なく隠蔽することができる。
【００１１】
【発明の実施の形態】
以下、本発明の好ましい実施の形態について、図面を参照してより詳細に説明する。図１は本発明にかかるリフォーム用ドア構造のドア本体を示す一部切欠正面図である。図１からよくわかるように、ドア本体１は、その蝶番取付け側部２を、複数の長尺木質材２１、２２、２３、２４、２５を切断自在とされた繋合手段７によって縦方向に並列に繋合して構成されている。本実施形態においては、繋合手段７として、カッターで容易に切断できるアルミタックを用いる。また、上記長尺木質材２１、２２、２３、２４、２５は、その厚みａを２５ｍｍとしているため、後述するように、横方向の寸法を２５ｍｍごとに、１００ｍｍまで調整することが可能である。
【００１２】
また、上記ドア本体１の上部３も、厚みｂの複数の長尺木質材３１、３２、３３、３４、３５を上記アルミタックによって、横方向に並列に繋合して構成され、同様に、上記ドア本体１の下部４も、厚みｃの複数の長尺木質材４１、４２、４３、４４、４５を上記アルミタックによって、横方向に並列に繋合して構成されている。したがって、上記ドア本体１の上部および下部の寸法は、後述するように、いずれも、２５ｍｍごとに、１００ｍｍまで調整することが可能である。図１における符号５は、ハニカム構造材であり、蝶番取付け側部２、上部３、下部４、および縦構造材等から構成されたドア本体１の芯材部の両面は、２枚の表面材６で覆われる。
【００１３】
本発明にかかるリフォーム用ドア構造のドア本体１は、上記のように構成されているため、既存のドア枠１０に合わせて、その横幅、縦方向の寸法を、所要数の長尺木質材だけを繋合して残し、余分の長尺木質材を、アルミタックをカッターで切断して除くことにより、簡単に寸法調整を行なうことができる。例えば、図１のドア本体１の横幅を２５ｍｍ短くして使用する場合は、表面材６をカッターで切断すると同時に、繋合手段７として示したアルミタックを切断し、長尺木質材２１を除けばよい。このようにすることにより、ドア本体１の横方向の寸法を、単にカッターでアルミタックを切断するだけで２５ｍｍ短くすることができる。ドア本体１の縦方向の寸法調整も上記の方法に準拠して、ドア本体１の上部３または下部４を構成する複数の長尺木質材のうち、所要数の長尺木質材だけを繋合して残し、余分の長尺木質材を除くことにより、簡単に行なうことができる。
【００１４】
一方、上記のようにして長尺木質材２１を除いた後、切断面は、長尺木質材２２の木口となるため、仕上げを行う必要がある。そこで、本実施形態においては、蝶番取付け側部２の側端部を、表面材６とデザイン的に近似するエッジカバー材８を用いて仕上げ加工を行なう。図２は、ドア本体１の蝶番取付け側部２の側端部にエッジカバー材８を取付けるとともに、既存のドア枠１０にラッチ受け座９を取付け、かつ、本発明にかかるリフォーム用ドア構造を蝶番Ｈで回動自在に支持した状態を示す斜視図である。図３は、図２におけるＸ−Ｘ線に沿う平断面図である。
【００１５】
図２、図３からよくわかるように、エッジカバー材８は、両面粘着テープ８１で長尺木質材２２の木口に粘着され、かつ、蝶番取付けを兼用したビスＢによってしっかりと木口にビス留めされる。このとき、エッジカバー材８として、表面材６の模様と近似したデザインのものを用いているため、すっきりと一体感のあるドア本体１とすることができる。
【００１６】
図４は、蝶番Ｈを、木口に直接ビスＢで固定し、その後に１本の通しエッジカバー材８を取付けた状態を示す部分分解斜視図である。この場合、蝶番Ｈがエッジカバー材８で覆われて露出しないため、デザイン的にさらに好ましいものとなる。また、図５に示すように、エッジカバー材８を通して取付けずに、蝶番Ｈのみを覆う部分エッジカバー材８２と、蝶番以外の部分を覆う部分エッジカバー材８３とに分割し、それぞれ、後から、木口に取付けることも可能である。あるいは、蝶番Ｈを覆う部分エッジカバー材８２のみを用いる等、種々設計変更可能である。
【００１７】
図６は、図２に示したラッチ受け座９の拡大斜視図である。ラッチ受け座９は、ラッチ受け９１およびプレート部９２から構成され、プレート部９２の一端部は長くされている。図６からよくわかるように、既存のドア枠１０に残された点線部で示すラッチ受け跡は、必要に応じて埋め木処理を施し、プレート部９２の長い端部で隠蔽されるため、外観的に全く問題はない。また、上記ラッチ受け座９は、上下逆に使用することも可能であるため、旧ラッチ受け跡が、新しいドア本体１のラッチＲを受ける位置とかなりずれていても、本発明にかかるラッチ受け座９を用いることにより十分にカバーすることができる。
【００１８】
上記実施形態は、長尺木質材として厚み２５ｍｍのものを用いた場合について述べたが、もちろん、これにかかわらず、種々の厚みの長尺木質材を用いることも可能である。このとき、厚みを薄くすれば、寸法の微調整を行なうことができるが、ドア本体１の組立て作業に手間がかかるため、両者の兼ね合いを考慮して、適当な厚みの長尺木質材を使用することが好ましい。上記のように構成された、本発明にかかるリフォーム用ドア構造は、部屋の間仕切り、洗面所、トイレの入り口等、建物内の種々の出入り口のリフォームに、有用に用いられる。
【００１９】
【発明の効果】
以上述べたように、請求項１に記載の発明は、古いドアーを装着していた既存のドア枠１０と、新しいドア本体１とからなるドア構造であって、該ドア本体１を蝶番取付け側部２において縦方向に任意の厚みで切断することにより、横方向の寸法調整が可能とされた上記ドア本体１と、該既存のドア枠１０に形成されていた旧ラッチ受け跡を隠蔽するとともに、上記ドア本体１のラッチＲを受けるラッチ受け座９が取付けられた上記既存のドア枠１０とからなる、リフォーム用ドア構造である。このようにすることにより、工事現場において、既存のドア枠１０に適合するようにドア本体１の寸法調整を容易に、作業性よく行なうことができる。
【００２０】
請求項２に記載の発明は、上記ドア本体１の蝶番取付け側部２は、複数の長尺木質材２１、２２、２３、２４、２５を切断自在とされた繋合手段７によって縦方向に並列に繋合して構成し、上記繋合手段７を切断して所要数の長尺木質材を除いて横方向の寸法調整が可能とされる。このようにすることにより、請求項１に記載の発明の効果に加えて、繋合手段７をカッターで切断し、余分の長尺木質材を除くことにより、簡単にドア本体１の横方向の寸法調整を行なうことができる。
【００２１】
請求項３に記載の発明によれば、上記繋合手段７を切断して寸法調整を行なった後の蝶番取付け側部２の側端部を、エッジカバー材８を取付けて仕上げ加工を行なうことが好ましい。このようにすることにより、請求項１に記載の発明の効果に加えて、表面材６とデザイン的に近似するエッジカバー材８を用いて仕上げ加工を行なうことにより、すっきりと一体感のあるドア本体１とすることができる。
【００２２】
請求項４に記載の発明によれば、上記ドア本体１の上部３を横方向に任意の厚みで切断することにより、上記ドア本体１の縦方向の寸法調整が可能とされる。このようにすることにより、請求項１に記載の発明の効果に加えて、既存のドア枠１０の高さに合わせて、リフォーム工事の現場で、上記ドア本体１の縦方向の寸法調整を簡単に行なうことができる。
【００２３】
請求項５に記載の発明によれば、上記繋合手段７がアルミタックとされる。このようにすることにより、請求項１に記載の発明の効果に加えて、表面材６を切断すると同時に、アルミタックを切断し、余分の長尺木質材を除いて、ドア本体１の横方向の寸法を、簡単に調整することができる。
【００２４】
請求項６に記載の発明によれば、上記ラッチ受け座９がラッチ受け９１を備えるとともに、プレート部９２の一端部を長くして、旧ラッチ受け跡を隠蔽するようにされる。このようにすることにより、請求項１に記載の発明の効果に加えて、既存のドア枠１０に残されたラッチ受け跡は、埋め木処理を施した後に、プレート部９２の長い一端部で外観的に全く問題なく隠蔽することができる。
【図面の簡単な説明】
【図１】本発明にかかるリフォーム用ドア構造のドア本体を示す一部切欠正面図である。
【図２】本発明にかかるドア本体を既存のドア枠に回動自在に支持した状態を示す斜視図である。
【図３】図２におけるＸ−Ｘ線に沿う平断面図である。
【図４】本発明にかかるドア本体の木口にエッジカバー材を取付けた状態を示す部分分解斜視図である。
【図５】本発明にかかるドア本体の木口にエッジカバー材を分割して取付けた状態を示す部分分解斜視図である。
【図６】図２に示すラッチ受け座の拡大斜視図である。
【符号の説明】
１　　　　　ドア本体
１０　　　　既存のドア枠
２　　　　　ドア本体の蝶番取付け側部
２１、２２、２３、２４、２５
上記を構成する長尺木質材
３　　　　　ドア本体の上部
３１、３２、３３、３４、３５
上記を構成する長尺木質材
４　　　　　ドア本体の下部
４１、４２、４３、４４、４５
上記を構成する長尺木質材
５　　　　　ハニカム構造材
６　　　　　表面材
７　　　　　繋合手段
８　　　　　エッジカバー材
８１　　　　両面粘着テープ
８２　　　　蝶番のみを覆う部分エッジカバー材
８３　　　　蝶番以外の部分を覆う部分エッジカバー材
９　　　　　ラッチ受け座
９１　　　　ラッチ受け
９２　　　　プレート部
ａ、ｂ、ｃ　長尺木質材の厚み
Ｈ　　　　　蝶番
Ｂ　　　　　ビス
Ｒ　　　　　ラッチ
【図１】
2004068466.tif 000003
【図２】
2004068466.tif 000004
【図３】
2004068466.tif 000005
【図４】
2004068466.tif 000006
【図５】
2004068466.tif 000007
【図６】
2004068466.tif 000008